(57)【要約】【課題】  人手を介すことなく検査用ＰＣカードのＰＣカード規格を変更することが可能な検査装置及び検査方法を提供することを目的とする。【解決手段】  制御装置３は、ＩＣチップ４３がソケット４２に挿入されたことを確認すると、スイッチ４〜６をそれぞれ制御し、カード側端子３７〜３９の各状態を、「ソケット４２に挿入されるＩＣチップ４３により決まるＰＣカード規格（ＰＣＭＣＩＡ（１））」に対応する状態（「ＧＮＤ」や「ＯＰＥＮ」）に切り替える。【選択図】      図１
2007033241.tif 000002
【特許請求の範囲】
【請求項１】
コンピュータに設けられる端子と接続されるカード側端子と、そのカード側端子を介して前記コンピュータと電気的に接続されると共にＩＣチップが挿入されるソケットとを備え、ＰＣカード規格に対応する前記カード側端子の状態に基づいて前記コンピュータとの接続環境が設定され、前記ＩＣチップの動作が検査される検査用ＰＣカードと、
前記カード側端子の状態を切り替えるスイッチと、
前記カード側端子の状態が、前記ソケットに挿入されるＩＣチップにより決まるＰＣカード規格に対応する状態となるように、前記スイッチを制御する制御手段と、
を備えることを特徴とする検査装置。
【請求項２】
請求項１に記載の検査装置であって、
前記制御手段は、前記ＩＣチップを前記ソケットに挿入させるための装置に挿入指示を出力し、前記ＩＣチップが前記ソケットに挿入されたことを確認すると、前記スイッチを制御する、
ことを特徴とする検査装置。
【請求項３】
請求項１または請求項２に記載の検査装置であって、
前記制御手段は、前記ＩＣチップが前記ソケットに挿入されたことを確認すると、前記ＩＣチップにより決まるＰＣカード規格に対応する前記カード側端子の状態を、前記ＰＣカード規格と前記カード側端子の状態とが関連付けられて記録されるテーブルから取り出し、前記カード側端子の状態が前記テーブルから取り出した前記カード側端子の状態に切り替わるように、前記スイッチを制御する、
ことを特徴とする検査装置。
【請求項４】
請求項１〜３の何れか１項に記載の検査装置であって、
前記スイッチにより前記カード側端子の状態が切り替わり前記接続環境が設定されると、前記ＩＣチップを駆動するための電源を前記コンピュータの電源以外の電源に切り替える電源切替スイッチを備える、
ことを特徴とする検査装置。
【請求項５】
コンピュータに設けられる端子と検査用ＰＣカードに設けられるカード側端子とが接続され、ＰＣカード規格に対応する前記カード側端子の状態に基づいて前記コンピュータと前記検査用ＰＣカードとの接続環境が設定される前記検査用ＰＣカードに搭載のＩＣチップの動作を検査する検査方法であって、
前記検査用ＰＣカードに前記ＩＣチップが搭載されると、前記カード側端子の状態を、前記ＩＣチップにより決まるＰＣカード規格に対応する状態に切り替える、
ことを特徴とする検査方法。
【請求項６】
請求項５に記載の検査方法であって、
前記カード側端子の状態が切り替わり前記接続環境が設定されると、前記ＩＣチップを駆動するための電源を前記コンピュータの電源以外の電源に切り替える、
ことを特徴とする検査方法。
【発明の詳細な説明】
【技術分野】
【０００１】
本発明は、コンピュータに挿入される検査用ＰＣカードに搭載されるＩＣチップの動作を検査するために使用される検査装置に関し、特に、ＩＣチップが検査用ＰＣカードに搭載されてからＩＣチップの動作検査が開始されるまでの検査方法に関する。
【背景技術】
【０００２】
図３（ａ）は、製造時の検査工程においてＰＣカード規格の認識方法を説明するための図である。なお、図３（ａ）に示すＰＣカードは、ＣＦ（Ｃｏｍｐａｃｔ  Ｆｌａｓｈ）を装着可能なＰＣカードのＰＣカード規格に準拠しているものとする。
【０００３】
図３（ａ）に示すように、パーソナルコンピュータなどのコンピュータ３０に設けられるＰＣカードスロットなどにＰＣカード３１が挿入されると、コンピュータ３０に備えられるＰＣカードコントローラ３２は、コンピュータ３０に設けられる端子３３〜３６と接続されるカード側端子３７〜４０の各状態を確認し、カード側端子３７〜４０の各状態に基づいてＰＣカード３１に搭載されるＩＣチップを駆動させるための電源電圧やそのＩＣチップが１回に処理可能なデータ量（ｂｉｔ）を示すＩ／Ｆ状態を選択する。
【０００４】
ここで、図３（ｂ）は、ＰＣカード規格毎のカード側端子３７〜４０の各状態、電源電圧、及びＩ／Ｆ状態を示す表である。
図３（ｂ）に示すように、ＰＣカード３１がＣＦを装着可能なＰＣカードのＰＣカード規格に準拠する場合、カード側端子３７〜３９の各状態は「ＧＮＤ」、カード側端子４０の状態は「ＯＰＥＮ」となる。そして、このＰＣカード３１に印加される電源電圧は３．３Ｖ、Ｉ／Ｆ状態は１６ｂｉｔとなる。
【０００５】
また、ＰＣカード３１がＣａｒｄＢｕｓのＰＣカード規格に準拠する場合、カード側端子３７の状態は「カード側端子３９と接続」、カード側端子３８の状態は「ＧＮＤ」、カード側端子３９の状態は「カード側端子３７と接続」、カード側端子４０の状態は「ＯＰＥＮ」となる。そして、このＰＣカード３１に印加される電源電圧は３．３Ｖ、Ｉ／Ｆ状態は３２ｂｉｔとなる。
【０００６】
また、ＰＣカード３１がＰＣＭＣＩＡ（Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ）（１）のＰＣカード規格に準拠する場合、カード側端子３７〜３９の各状態は「ＧＮＤ」、カード側端子４０の状態は「ＯＰＥＮ」となる。そして、このＰＣカード３１に印加される電源電圧は３．３Ｖ、Ｉ／Ｆ状態は１６ｂｉｔとなる。
【０００７】
また、ＰＣカード３１がＰＣＭＣＩＡ（２）のＰＣカード規格に準拠する場合、カード側端子３７及び３８の各状態は「ＧＮＤ」、カード側端子３９及び４０の各状態は「ＯＰＥＮ」となる。そして、このＰＣカード３１に印加される電源電圧は５Ｖ、Ｉ／Ｆ状態は１６ｂｉｔとなる。
【０００８】
このように、ＰＣカード３１のカード側端子３７〜４０の各状態は、ＰＣカード３１が準拠しているＰＣカード規格に応じて異なっているため、ＰＣカードコントローラ３２は、カード側端子３７〜４０の各状態を確認することにより、コンピュータ３０に挿入されたＰＣカード３１のＰＣカード規格を認識することができる。
【０００９】
次に、製品化予定のＰＣカードに搭載されるＩＣチップ（例えば、ＢＧＡ（Ｂａｌｌ  Ｇｒｉｄ  Ａｒｒａｙ）でパッケージングされたＩＣチップ）が正常に動作するか否かなどの検査を行う際の検査用ＰＣカードとしてのドーターボード（ｄａｕｇｈｔｅｒ  ｂｏａｒｄ）のＰＣカード規格の認識方法について説明する。
【００１０】
図３（ｃ）は、ドーターボードのＰＣカード規格の認識方法を説明するための図である。なお、図３（ａ）に示す構成と同じ構成に同じ符号を付している。また、図３（ｃ）に示すドーターボードは、製品化予定のＰＣカードのＰＣカード規格に準拠しているものとし、図３（ｃ）に示す例では、図３（ｂ）に示すＰＣＭＣＩＡ（１）のＰＣカード規格に準拠しているものとする。
【００１１】
図３（ｃ）に示すように、ドーターボード４１に実装されたソケット４２にＩＣチップ４３が挿入され、そのドーターボード４１が人の手によりコンピュータ３０のＰＣカードスロットなどに挿入されると、ＰＣカードコントローラ３２は、コンピュータ３０の端子３３〜３６に接続されるカード側端子３７〜４０の各状態を確認し、カード側端子３７〜４０の各状態に基づいて電源電圧やＩ／Ｆ状態を選択する。そして、ＩＣチップ４３とコンピュータ３０との間でインターフェイスの設定動作が開始され、ＩＣチップ４３が正常に動作しているか否かなどの検査が行われる。
【００１２】
このように、ドーターボード４１のカード側端子３７〜４０の各状態は、ドーターボード４１が準拠するＰＣカード規格に応じて異なっているため、ＰＣカードコントローラ３２は、カード側端子３７〜４０の各状態を確認することにより、コンピュータ３０に挿入されたドーターボード４１のＰＣカード規格を認識することができる。
【特許文献１】特開平８−３１３５７９号公報
【発明の開示】
【発明が解決しようとする課題】
【００１３】
ところで、あるＰＣカード規格に準拠するドーターボード４１に搭載されるＩＣチップ４３の検査が終了し、次に、他のＰＣカード規格に準拠するドーターボード４１に搭載されるＩＣチップ４３の検査を行う場合では、それまでコンピュータ３０に挿入されていたドーターボード４１を取り出し、他のＰＣカード規格に準拠したドーターボード４１をコンピュータ３０に挿入する必要がある。このドーターボード４１の交換作業は、上述したように、人手により行われるため、検査すべきＩＣチップ４３が搭載されるドーターボード４１のＰＣカード規格の種類が多くなると、ドーターボード４１の交換回数も多くなりドーターボード４１の交換作業が面倒になるという問題があった。また、ドーターボード４１の交換時の人への負担を軽減させるために専用の冶具を使用してドーターボード４１を交換する方法が考えられるが、この方法も人手によりドーターボード４１が交換されるという点は変わらないため、ドーターボード４１の交換回数が多くなるとドーターボード４１の交換作業が面倒になる。
【００１４】
そこで、本発明では、人手を介すことなく検査用ＰＣカードのＰＣカード規格を変更することが可能な検査装置及び検査方法を提供することを目的とする。
【課題を解決するための手段】
【００１５】
上記の課題を解決するために本発明では、以下のような構成を採用した。
すなわち、本発明の検査装置は、コンピュータに設けられる端子と接続されるカード側端子と、そのカード側端子を介して前記コンピュータと電気的に接続されると共にＩＣチップが挿入されるソケットとを備え、ＰＣカード規格に対応する前記カード側端子の状態に基づいて前記コンピュータとの接続環境が設定され、前記ＩＣチップの動作が検査される検査用ＰＣカードと、前記カード側端子の状態を切り替えるスイッチと、前記カード側端子の状態が、前記ＩＣチップにより決まるＰＣカード規格に対応する状態となるように、前記スイッチを制御する制御手段とを備えることを特徴とする。
【００１６】
上記ＰＣカード規格とは、例えば、ＣＦを装着可能なＰＣカードのＰＣカード規格やＰＣＭＣＩＡのＰＣカード規格のことを示している。また、上記カード側端子の状態とは、例えば、カード側端子がＧＮＤやＯＰＥＮになっている状態のことを示し、このカード側端子の状態に基づいて検査用ＰＣカードが準拠するＰＣカード規格が認識される。また、上記接続環境とは、例えば、ＩＣチップを駆動するための電源電圧やＩＣチップが１回に処理可能なデータ量を示している。上記構成の発明によれば、カード側端子の状態を、ＩＣチップにより決まるＰＣカード規格に対応する状態に切り替えることができるので、検査用ＰＣカードをコンピュータに挿入したままでカード側端子の状態を変更させることができる。これにより、人手を介すことなく検査用ＰＣカードのＰＣカード規格を変更することができる。
【００１７】
また、上記制御手段は、前記ＩＣチップを前記ソケットに挿入させるための装置に挿入指示を出力し、前記ＩＣチップが前記ソケットに挿入されたことを確認すると、前記スイッチを制御するように構成してもよい。
【００１８】
これにより、ＩＣチップがソケットに挿入されてからＩＣチップの動作の検査が開始されるまでの作業を人手を介すことなく行うことができる。
また、上記制御手段は、前記ＩＣチップが前記ソケットに挿入されたことを確認すると、前記ＩＣチップにより決まるＰＣカード規格に対応する前記カード側端子の状態を、前記ＰＣカード規格と前記カード側端子の状態とが関連付けられて記録されるテーブルから取り出し、前記カード側端子の状態が前記テーブルから取り出した前記カード側端子の状態に切り替わるように、前記スイッチを制御するように構成してもよい。
【００１９】
これにより、新たなＰＣカード規格に対応するＩＣチップの動作の検査を行う場合でも、新たなＰＣカード規格とその新たなＰＣカード規格に対応するカード側端子の状態とをテーブルに追加記録するだけで、新たなＰＣカード規格に対応するＩＣチップの動作の検査をすぐに行うことができる。
【００２０】
また、上記検査装置は、前記スイッチにより前記カード側端子の状態が切り替わり前記接続環境が設定されると、前記ＩＣチップを駆動するための電源を前記コンピュータの電源以外の電源に切り替える電源切替スイッチを備えるように構成してもよい。
【００２１】
これにより、接続環境が設定される前にＩＣチップに電力が供給されるということがないので、ＩＣチップ側で電力供給の準備ができていないときにＩＣチップに電力が供給されることを防止することができＩＣチップ内の素子がその電力により破壊されることを防止することができる。
【００２２】
また、本発明の検査方法は、コンピュータに設けられる端子と検査用ＰＣカードに設けられるカード側端子とが接続され、ＰＣカード規格に対応する前記カード側端子の状態に基づいて前記コンピュータと前記検査用ＰＣカードとの接続環境が設定される前記検査用ＰＣカードに搭載のＩＣチップの動作を検査する検査方法であって、前記検査用ＰＣカードに前記ＩＣチップが搭載されると、前記カード側端子の状態を、前記ＩＣチップにより決まるＰＣカード規格に対応する状態に切り替えることを特徴とする。
【００２３】
また、上記検査方法は、前記カード側端子の状態が切り替わり前記接続環境が設定されると、前記ＩＣチップを駆動するための電源を前記コンピュータの電源以外の電源に切り替えるようにしてもよい。
【発明の効果】
【００２４】
本発明によれば、人手を介すことなく検査用ＰＣカードのＰＣカード規格を変更することができる。
【発明を実施するための最良の形態】
【００２５】
以下、本発明の実施形態を図面を用いて説明する。
図１は、本発明の実施形態の検査装置を示す図であり、図１（ａ）は、ＩＣチップ４３がソケット４２に挿入される前の状態を示し、図１（ｂ）は、ＩＣチップ４３がソケット４２に挿入された後の状態を示している。なお、図３（ｃ）に示す構成と同じ構成には同じ符号を付している。また、図１（ａ）及び図１（ｂ）に示すドーターボードは、図３（ｂ）に示すＰＣＭＣＩＡ（１）のＰＣカード規格に準拠しているものとする。図１（ａ）及び図１（ｂ）に示すＩＣチップ４３は、無線ＬＡＮの機能を奏するＩＣチップとする。
【００２６】
図１（ａ）及び図１（ｂ）に示すように、検査装置１は、コンピュータ３０に備えられるＰＣカードスロットなどに挿入されるドーターボード２（検査用ＰＣカード）と、制御装置３（制御手段）とを備えて構成されている。
【００２７】
ドーターボード２は、ドーターボード２がコンピュータ３０のＰＣカードスロットなどに挿入されるとコンピュータ３０に設けられる端子３３〜３６と接続されるカード側端子３７〜４０と、そのカード側端子３７〜４０を介してコンピュータ３０と電気的に接続されると共にＩＣチップ４３が挿入されるソケット４２と、カード側端子３７の状態を切り替えるスイッチ４と、カード側端子３８の状態を切り替えるスイッチ５と、カード側端子３９の状態を切り替えるスイッチ６とを備えて構成されている。なお、スイッチ４〜６は、ドーターボード２以外に備えられてもよい。
【００２８】
本実施形態の検査装置１の特徴とする点は、ドーターボード２をコンピュータ３０に挿入したままスイッチ４〜６を制御することにより、カード側端子３７〜３９の各状態を「ソケット４２に挿入されるＩＣチップ４３により決まるＰＣカード規格」（例えば、検査前にドーターボード２またはＩＣチップ４３が備えるメモリに書き込まれる製品化予定のＰＣカードのＰＣカード規格）に対応する状態に切り替える点である。
【００２９】
スイッチ４は、制御装置３によりカード側端子３７の状態を、「ＧＮＤ」、「ＯＰＥＮ」、または「カード側端子３９と接続」の３つの状態の何れか１つの状態に切り替える。スイッチ５は、制御装置３によりカード側端子３８の状態を、「ＧＮＤ」または「ＯＰＥＮ」のどちらか一方の状態に切り替える。スイッチ６は、制御装置３によりカード側端子３９の状態を、「ＧＮＤ」、「ＯＰＥＮ」、または「カード側端子３７と接続」の３つの状態の何れかの１つの状態に切り替える。
【００３０】
このスイッチ４〜６により、ドーターボード２のカード側端子３７〜３９の各状態を図３（ｂ）に示す４つのＰＣカード規格のうちの何れか１つのＰＣカード規格に対応する状態に切り替えることができる。
【００３１】
なお、上記実施形態では、カード側端子４０の状態は常に「ＯＰＥＮ」の状態でよいため、カード側端子４０の状態を切り替えるためのスイッチはドーターボード２に備えられていないが、上記４つのＰＣカード規格以外のＰＣカード規格に対応させるためにカード側端子４０の状態を切り替える必要がある場合は、カード側端子４０の状態を切り替えることが可能なスイッチをドーターボード２に備えてもよい。
【００３２】
また、制御装置３は、例えば、コンピュータ３０に備えられてもよいし、コンピュータ３０以外のコンピュータに備えられてもよい。
次に、ＩＣチップ４３がソケット４２に挿入されてからＩＣチップ４３の動作の検査が開始されるまでの一連の動作を説明する。
【００３３】
まず、制御装置３は、ＩＣチップ４３をソケット４２に挿入させるための装置としてのハンドラー７に挿入指示を出力する。なお、図１（ａ）に示すように、ＩＣチップ４３がソケット４２に挿入される前では、カード側端子３７〜３９の各状態はスイッチ４〜６により全て「ＯＰＥＮ」の状態に保たれている。
【００３４】
次に、制御装置３は、ＩＣチップ４３がソケット４２に挿入されたことを確認すると、「ソケット４２に挿入されるＩＣチップ４３により決まるＰＣカード規格」に対応するカード側端子３７〜３９の各状態を、ＰＣカード規格とカード側端子３７〜３９の各状態とが関連付けられて記録されるテーブルから取り出し、カード側端子３７〜３９の各状態がテーブルから取り出した状態に切り替わるように、スイッチ４〜６をそれぞれ制御する。なお、図１（ｂ）に示す例では、ドーターボード２がＰＣＭＣＩＡ（１）のＰＣカード規格に準拠しているため、カード側端子３７〜３９の各状態がスイッチ４〜６により全て「ＯＰＥＮ」から「ＧＮＤ」に切り替わっている。
【００３５】
これにより、新たなＰＣカード規格に対応するＩＣチップ４３の動作の検査を行う場合でも、新たなＰＣカード規格とその新たなＰＣカード規格に対応するカード側端子３７〜４０の各状態とを上記テーブルに追加記録するだけで、新たなＰＣカード規格に対応するＩＣチップ４３の動作の検査をすぐに行うことができる。
【００３６】
また、制御装置３は、「ソケット４２に挿入されるＩＣチップ４３により決まるＰＣカード規格」を、検査時にＩＣチップ４３を入れておくための部品箱などに示されるバーコードを読み取ることによって得るようにしてもよく、そのバーコードが示すＰＣカード規格に対応するカード側端子３７〜３９の各状態を上記テーブルから取り出してもよい。
【００３７】
これにより、スイッチ４〜６の制御を自動で行うことができる。
次に、ＰＣカードコントローラ３２は、カード側端子３７〜４０の各状態を確認し、カード側端子３７〜４０の各状態に応じた電源電圧やＩ／Ｆ状態を選択する。
【００３８】
次に、コンピュータ３０とＩＣチップ４３との間でインターフェイスの設定動作が開始され、ＩＣチップ４３が正常に動作しているか否かなどの検査が行われる。
そして、検査が終了すると、制御装置３によりスイッチ４〜６が制御されカード側端子３７〜３９の各状態が全て「ＯＰＥＮ」に切り替えられ、ソケット４２に挿入されているＩＣチップ４３が次のＩＣチップ４３に交換される。
【００３９】
このように、カード側端子３７〜３９の各状態を、「ソケット４２に挿入されるＩＣチップ４３により決まるＰＣカード規格」に対応する状態に切り替えることができるので、ドーターボード２をコンピュータ３０に挿入したままでカード側端子３７〜３９の状態を変更させることができる。これにより、人手を介すことなくドーターボード２のＰＣカード規格を変更することができる。
【００４０】
また、制御装置３は、ハンドラー７に対して挿入指示を出力し、ＩＣチップ４３がソケット４２に挿入されたことを確認すると、スイッチ４〜６をそれぞれ制御しているため、ＩＣチップ４３がソケット４２に挿入されてからＩＣチップ４３の動作の検査が開始されるまでの作業までを人手を介すことなく行うことができる。これにより、ＩＣチップ４３がソケット４２に挿入されてからＩＣチップ４３の動作の検査が開始されるまでの時間を手作業によりドーターボード４１を交換する場合に比べて短縮することができる。
【００４１】
次に、本発明の他の実施形態の検査装置について説明する。
図２は、本発明の他の実施形態の検査装置を示す図である。なお、図１（ａ）及び図１（ｂ）に示す構成と同じ構成には同じ符号を付している。また、図２に示すドーターボードは、図３（ｂ）に示すＰＣＭＣＩＡ（１）のＰＣカード規格に準拠しているものとする。
【００４２】
図２に示す検査装置８は、ドーターボード９と、安定化電源１０とを備えて構成されている。
ドーターボード９は、カード側端子３７〜４０と、ソケット４２と、スイッチ４〜６と、ＰＣカードコントローラ３２の電源端子ＶＣＣと接続される端子１１と、端子１１と接続されるフォトカプラ１２と、フォトカプラ１２から信号が出力されるとＩＣチップ４３に安定化電源１０の電力を供給させるスイッチ１３とを備えて構成されている。なお、スイッチ４〜６は、図１（ａ）及び図１（ｂ）に示す制御装置３により制御されるものとする。
【００４３】
フォトカプラ１２は、アノードが端子１１と接続され、カソードがＧＮＤと接続される発光ダイオード１４と、発光ダイオード１４が発光するとオンする受光トランジスタ１５とを備えて構成されている。なお、受光トランジスタ１５がオンすると、ある電圧の信号がフォトカプラ１２から出力されるものとする。
【００４４】
次に、ＩＣチップ４３がソケット４２に挿入されてからＩＣチップ４３に安定化電源１０の電力が供給されるまでの一連の動作を説明する。
まず、検査装置８は、ハンドラー（不図示）に挿入指示を出力し、ＩＣチップ４３がソケット４２に挿入されたことを確認すると、スイッチ４〜６をそれぞれ制御し、カード側端子３７〜３９の各状態を、「ソケット４２に挿入されるＩＣチップ４３により決まるＰＣカード規格」に対応する状態に切り替える。
【００４５】
次に、カード側端子３７〜４９の各状態が「ソケット４２に挿入されるＩＣチップ４３により決まるＰＣカード規格」に対応する状態に切り替わると、ＰＣカードコントローラ３２は、電源端子ＶＣＣをドーターボード９のＰＣカード規格ＰＣＭＣＩＡ（１）に対応する電圧３．３Ｖに上昇させる。
【００４６】
そして、電源端子ＶＣＣの電圧が３．３Ｖになると、フォトカプラ１２がオンし、スイッチ１３により安定化電源１０の電力がＩＣチップ４３に供給される。
通常、ＰＣカードコントローラ３２の電源端子ＶＣＣは、３．３Ｖを出力する場合、３．０〜３．６Ｖの範囲で変動してしまう。このように電源端子ＶＣＣは不安定であるため、図２に示すように、電源端子ＶＣＣを制御端子として利用することにより、安定化電源１０からの電力をＩＣチップ４３に自動的に供給することができる。また、ＰＣカードコントローラ３２により電源電圧やＩ／Ｆ状態が選択される前にＩＣチップ４３に電力が供給されるということがないので、ＩＣチップ４３側で電力供給の準備ができていないときにＩＣチップ４３に電力が供給されることを防止することができＩＣチップ４３内の素子がその電力により破壊されることを防止することができる。
【図面の簡単な説明】
【００４７】
【図１】本発明の実施形態の検査装置を示す図であり、（ａ）は、ＩＣチップがソケットに挿入される前の状態を、（ｂ）は、ＩＣチップがソケットに挿入された後の状態を示している。
【図２】本発明の他の実施形態の検査装置を示す図である。
【図３】（ａ）は、ＰＣカード規格の認識方法を説明するための図である。（ｂ）は、ＰＣカード規格毎のカード側端子の状態、電源電圧、及びＩ／Ｆ状態を示す表である。（ｃ）は、ドーターボードのＰＣカード規格の認識方法を説明するための図である。
【符号の説明】
【００４８】
１      検査装置
２      ドーターボード
３      制御装置
４〜６  スイッチ
７      ハンドラー
８      検査装置
９      ドーターボード
１０    安定化電源
１１    端子
１２    フォトカプラ
１３    スイッチ
１４    発光ダイオード
１５    受光トランジスタ
３０    コンピュータ
３１    ＰＣカード
３２    ＰＣカードコントローラ
３３〜３６  端子
３７〜４０  カード側端子
４１    ドーターボード
４２    ソケット
４３    ＩＣチップ
【図１】
2007033241.tif 000003
【図２】
2007033241.tif 000004
【図３】
2007033241.tif 000005